(57)【要約】【課題】家具の高さ調整を可能にする家具用脚端具であって、使用するボルトの螺軸を覆い隠し意匠性を高めるとともに、螺着部の緩みを防止し高さ調整後の状態を安定させることが可能な家具用脚端具を提供する。【解決手段】ボルト３の頭部３ａをインサート成形により埋設し両サイドにストローク溝２ａを設けてなる本体２と、表面１ｅの中心に円孔１ａを有しストローク溝２ａ範囲内を滑動するステンレスカバー１との間にスプリング４を介在させてなることを特長とする家具用脚端具を提供する。【選択図】  図１
2004305666.tif 000002
【特許請求の範囲】
【請求項１】
家具下端に螺着して取り付け可能であるとともに、ボルトの螺進退により高さ調整が可能な家具用脚端具であって、
ボルトの六角部をインサート成形により埋設し、螺軸が外部に突出してなる本体と、半円筒形状の部品であって側面内部に凸部を設け、上部表面の中心に前記本体の螺軸を挿通可能な大きさの円孔を設けてなるステンレスカバーとの組み合わせであり、両者間にスプリングを介在させ、前記ステンレスカバーを前記本体の螺軸を円孔に貫通させた状態で本体と冠着してなることを特長とする家具用脚端具。
【請求項２】
前記本体の両サイドにはストローク溝が設けられており、これらに前記ステンレスカバー側面内部に有する凸部を嵌入せしめ、該カバーがストローク溝範囲内を滑動可能に構成されることを特長とする請求項１に記載の家具用脚端具。
【請求項３】
前記本体におけるストローク溝近傍に高さ調整時の目安となるスケールを設けてあることを特長とする請求項１または請求項２に記載の家具用脚端具。
【発明の詳細な説明】
【０００１】
【産業上の利用分野】
本発明は家具等の下端に取り付け、高さを調整するとともに滑り止め及び床面に引っ掻き傷を付けないようにすることを目的とする家具用脚端具に関するものである。
【０００２】
【発明が解決しようとする課題】
従来の家具用脚端具は図５に示されるようにボルト６ａをインサート成形により埋設してなり、家具Ｔの下端に螺着されるものである。またボルト６ａと螺孔部７との螺合調整によって家具Ｔの高さを調整することが可能である。
【０００３】
しかし従来の家具用脚端具では、その螺軸６ｂが調整後に露出することがあり外見的に好ましくなく、また振動等の外力により螺着部が緩む恐れがあった。
【０００４】
本発明は以上のような点を鑑み発明したものであり、螺軸の露出を覆い意匠性を高めるとともに、外力による螺着部の緩みを内蔵するスプリングにより防止する家具用脚端具を提供することを目的とする。
【０００５】
【課題を解決するための手段】
上記目的を達成させるために、本発明の家具用脚端具は、
ボルトの六角部をインサート成形により埋設し、螺軸が外部に突出してなる本体と、半円筒形状の部品であって側面内部に凸部を設け、更に上部表面の中心に前記本体の螺軸を挿通可能な大きさの円孔を設けてなるステンレスカバーとの組み合わせであり、両者間にスプリングを介在させ、前記ステンレスカバーを前記本体の螺軸を円孔に貫通させた状態で本体と冠着してなることを特長としている。
【０００６】
また前記本体の両サイドにはストローク溝が設けられており、これらに前記ステンレスカバー側面内部に有する凸部を嵌入せしめ、該カバーがストローク溝範囲内を滑動可能に構成される。これにより本体とステンレスカバーとの間に介在するスプリングがストローク溝範囲内で該カバーを弾性支持することが可能となる。
【０００７】
更に本発明の家具用脚端具は、家具の高さ調整に用いられることから、高さ調整時の目安となるスケールが設けられていることが望ましい。従って、前記本体が有するストローク溝近傍に高さ調整時の目安となるスケールを設ける。
【０００８】
【作用】
この家具用脚端具を例えばテーブルの下端に装着すれば、本体の回転によって高さを微調整できる。また該本体は滑り止めの役目と床面に引っ掻き傷を付けないようにする役目を果たす。
【０００９】
【実施例】
本発明の家具用脚端具の実施形態について図面を参照しながら説明する。本発明の家具用脚端具は図１に示すように、
ボルト３の六角部３ａをインサート成形により埋設し、螺軸３ｂが突出して構成される本体２と、ステンレス板を半円筒形状に成形し、その側面１ｃの内面に凸部１ｄを設け、更にその上部表面１ｅの中心に前記本体の螺軸３ｂを挿通可能な大きさの円孔１ａを設けてなるステンレスカバー１との間にスプリング４を介在させてなる。  このスプリング４はステンレスカバー１を弾性支持せんとする役目を果たす。
【００１０】
本発明の家具用脚端具の組み立てにあっては、図２に示すリブ２ｂ上にスプリング４を載置した後、ステンレスカバー１における凸部１ｄを本体２におけるストローク溝２ａに嵌入せしめ、図３のように組み立てる。なお該カバーを本体２に冠着する際は、上方より、円孔１ａに螺軸３ｂを貫通させた状態で、本体２の弾性変形を利用し圧入することで行う。本体２とステンレスカバー１はこのように組み合わせられることから、該カバーはストローク溝２ａ範囲内を上下方向に滑動し、また高さ調整時における本体２の回転を、ステンレスカバー１を握持し回転することで行える。更に高さ調整時の目安となるスケール２ｃを前記ストローク溝近傍に設けることで、ステンレスカバー１の下端を基準とした高さ調整が可能となる。
【００１１】
従って図４に示すように本発明の家具用脚端具を例えばテーブルの脚部に螺着すれば、家具高さの微調整が可能であるとともに、ストローク溝２ａ範囲内においては常にスプリング４がステンレスカバー１を弾性支持しているので表面１ｅと脚底面が常に密着し螺軸３ｂが露出することがなく、更に密着の効果は摩擦力となって現われ、螺着部の緩みを防止する。
【００１２】
【発明の効果】
以上説明してきたように、本発明の家具用脚端具によれば高さ調整後に見られる螺軸の露出が覆い隠され意匠性が向上するとともに、螺着部の緩みを防止することが可能である。また埃等が螺軸に付着することを防止し掃除する労力を減少させることに寄与する。
【図面の簡単な説明】
【図１】本発明の実施例に係る家具用脚端具の縦断面図である。
【図２】本発明の実施例に係る家具用脚端具の横断面図である。
【図３】本発明の実施例に係る家具用脚端具の側面図である
【図４】本発明の実施例に係る家具用脚端具の一部切欠き縦断面図である。
【図５】従来の家具用脚端具を家具脚部に取り付けた状態を示す縦断面図である。
【符号の説明】
１  ・・・ステンレスカバー          ２ａ・・・ストローク溝
１ａ・・・円孔                      ２ｂ・・・リブ
１ｂ・・・案内面                    ２ｃ・・・スケール
１ｃ・・・側面                      ３  ・・・ボルト
１ｄ・・・凸部                      ３ａ・・・六角部
１ｅ・・・表面                      ３ｂ・・・螺軸
２  ・・・本体                      ４  ・・・スプリング
５  ・・・螺孔部
６  ・・・従来の家具用脚端具
６ａ・・・ボルト
６ｂ・・・螺軸
７  ・・・螺孔部
Ｔ  ・・・家具脚部
Ｆ  ・・・床面
【図１】
2004305666.tif 000003
【図２】
2004305666.tif 000004
【図３】
2004305666.tif 000005
【図４】
2004305666.tif 000006
【図５】
2004305666.tif 000007